(57)【要約】【課題】  伝送装置間の回線品質を常時監視する。【解決手段】  第１伝送装置に設けられ、上位装置から受信した主信号の正常性を検査する第１主信号検査手段と、第１伝送装置に設けられ、上位装置から主信号を所定時間受信しない場合、回線監視信号を生成して第２伝送装置に送信する送信手段と、第２伝送装置に設けられ、第１伝送装置から受信した主信号の正常性を検査する第２主信号検査手段と、第２伝送装置に設けられ、第１伝送装置から受信した回線監視信号の正常性を検査する回線監視信号検査手段と、第２伝送装置に設けられ、第２主信号検査手段および回線監視信号検査手段による異常検出の頻度を求め、その頻度が予め保持している閾値を超過したときに警報を発出する警報手段とを備えていることを特徴とする。【選択図】    図１
2005260734.tif 000002
【特許請求の範囲】
【請求項１】
上位装置から受信した主信号を伝送路に送信する第１伝送装置と、前記第１伝送装置から前記伝送路を介して受信した主信号を下位装置に送信する第２伝送装置との間の回線品質を監視する回線品質監視システムであって、
前記第１伝送装置に設けられ、前記上位装置から受信した主信号の正常性を検査する第１主信号検査手段と、
前記第１伝送装置に設けられ、前記上位装置から主信号を所定時間受信しない場合、回線監視信号を生成して前記第２伝送装置に送信する送信手段と、
前記第２伝送装置に設けられ、前記第１伝送装置から受信した主信号の正常性を検査する第２主信号検査手段と、
前記第２伝送装置に設けられ、前記第１伝送装置から受信した回線監視信号の正常性を検査する回線監視信号検査手段と、
前記第２伝送装置に設けられ、前記第２主信号検査手段および前記回線監視信号検査手段による異常検出の頻度を求め、その頻度が予め保持している閾値を超過したときに警報を発出する警報手段とを備えていることを特徴とする回線品質監視システム。
【請求項２】
請求項１記載の回線品質監視システムにおいて、
現用系伝送路および予備系伝送路で構成される前記伝送路に対応して前記第２伝送装置にそれぞれ設けられた前記第２主信号検査手段、前記回線監視信号検査手段および前記警報手段と、
前記第２伝送装置に設けられ、前記現用系伝送路に対応する警報手段が警報を発出したときに、前記下位装置に送信する主信号を、前記現用系伝送路を介して受信する主信号から前記予備系伝送路を介して受信する主信号に切り替える切替手段とを備えていることを特徴とする回線品質監視システム。
【請求項３】
請求項１記載の回線品質監視システムにおいて、
前記回線監視信号は、信号の開始を示す信号開始情報、前記回線監視信号検査手段の正常性検査に使用される誤り検査情報、信号の終了を示す信号終了情報で構成されていることを特徴とする回線品質監視システム。
【請求項４】
請求項１記載の回線品質監視システムにおいて、
前記第２伝送装置に設けられ、前記警報手段における警報発出の閾値を任意に設定する閾値設定手段を備えていることを特徴とする回線品質監視システム。
【請求項５】
上位装置から受信した主信号を伝送路に送信する第１伝送装置と、前記第１伝送装置から前記伝送路を介して受信した主信号を下位装置に送信する第２伝送装置との間の回線品質を監視する回線品質監視方法であって、
前記第１伝送装置側で、
前記上位装置から受信した主信号の正常性を検査し、
前記上位装置から主信号を所定時間受信しない場合、回線監視信号を生成して前記第２伝送装置に送信し、
前記第２伝送装置側で、
前記第１伝送装置から受信した主信号の正常性および回線監視信号の正常性をそれぞれ検査し、
主信号および回線監視信号の異常検出の頻度を求め、その頻度が予め保持している閾値を超過したときに警報を発出することを特徴とする回線品質監視方法。
【請求項６】
請求項５記載の回線品質監視方法において、
前記第２伝送装置側で、
現用系伝送路および予備系伝送路で構成される前記伝送路に対応して、主信号の正常性検査、回線監視信号の正常性検査および警報発出をそれぞれ実施し、
前記現用系伝送路に対応する警報を発出したときに、前記下位装置に送信する主信号を、前記現用系伝送路を介して受信する主信号から前記予備系伝送路を介して受信する主信号に切り替えることを特徴とする回線品質監視方法。
【請求項７】
請求項５記載の回線品質監視方法において、
前記第２伝送装置側で、警報発出の閾値を任意に設定することを特徴とする回線品質監視方法。
【発明の詳細な説明】
【技術分野】
【０００１】
本発明は、伝送装置間の回線品質を監視する回線品質監視システムおよび回線品質監視方法に関する。
【背景技術】
【０００２】
図５は、従来のデータ伝送システムにおける伝送路切替制御を示している。
データ伝送システム２０は、現用系伝送路１１および予備系伝送路１２を介してデータを送受信する伝送装置間に設けられた切替装置１、２、現用系伝送路１１と切替装置１、２との間にそれぞれ設けられた現用系のメディアコンバータ５、６、予備系伝送路１２と切替装置１、２との間にそれぞれ設けられた予備系のメディアコンバータ７、８を有している。
【０００３】
このような構成のデータ伝送システム２０では、図中の×印で示す物理的障害（伝送路断）が現用系伝送路１１で発生すると、メディアコンバータ５、６は、現用系伝送路１１側のリンク断を検出し、切替装置１、２側のリンクを強制的にそれぞれ遮断する。この結果、切替装置１、２は、入力断の状態になるため、切替回路３、４により送受信ルートを現用系から予備系にそれぞれ切り替える。これにより、現用系伝送路１１の物理的障害に伴う伝送路切替が完了する。なお、予備系から現用系への伝送路切替も同様に実施される。
【０００４】
また、特許文献１には、保守管理情報を含む保守管理フレームをユーザフレーム間のガードタイム（アイドルタイム）に挿入して伝送することで、ユーザフレームのトラフィックに影響を及ぼすことなくデータ伝送システムの保守および管理を実施する技術が開示されている。
【特許文献１】特開２００３−１８１６２号公報
【発明の開示】
【発明が解決しようとする課題】
【０００５】
しかしながら、前述のデータ伝送システム２０では、現用系伝送路１１および予備系伝送路１２における回線品質の劣化が伝送路切替の要因となっていないため、現用系伝送路１１（予備系伝送路１２）で回線品質の劣化が発生してデータ伝送に支障をきたす場合でも、伝送路切替を実施できない。このため、データ伝送が円滑に実施されず、データの再送処理が多発してネットワーク全体の負荷が増大してしまう。また、イーサネット（登録商標）サービスでは、伝送装置間でユーザフレームが常時伝送されるとは限らないため、ユーザフレームが伝送されない期間、伝送装置間の回線品質を監視できない。従って、伝送装置間の回線品質を常時監視することはできない。
【０００６】
本発明は、このような従来の問題点に鑑みてなされたものであり、伝送装置間の回線品質を常時監視できる回線品質監視システムおよび回線品質監視方法を提供することを目的とする。また、本発明の別の目的は、伝送装置間の回線品質の劣化が発生したときに伝送路切替を実施することにある。
【課題を解決するための手段】
【０００７】
請求項１の回線品質監視システムは、上位装置から受信した主信号を伝送路に送信する第１伝送装置と、前記第１伝送装置から前記伝送路を介して受信した主信号を下位装置に送信する第２伝送装置との間の回線品質を監視する回線品質監視システムであって、前記第１伝送装置に設けられ、前記上位装置から受信した主信号の正常性を検査する第１主信号検査手段と、前記第１伝送装置に設けられ、前記上位装置から主信号を所定時間受信しない場合、回線監視信号を生成して前記第２伝送装置に送信する送信手段と、前記第２伝送装置に設けられ、前記第１伝送装置から受信した主信号の正常性を検査する第２主信号検査手段と、前記第２伝送装置に設けられ、前記第１伝送装置から受信した回線監視信号の正常性を検査する回線監視信号検査手段と、前記第２伝送装置に設けられ、前記第２主信号検査手段および前記回線監視信号検査手段による異常検出の頻度を求め、その頻度が予め保持している閾値を超過したときに警報を発出する警報手段とを備えていることを特徴とする。
【０００８】
請求項２の回線品質監視システムは、請求項１記載の回線品質監視システムにおいて、
現用系伝送路および予備系伝送路で構成される前記伝送路に対応して前記第２伝送装置にそれぞれ設けられた前記第２主信号検査手段、前記回線監視信号検査手段および前記警報手段と、前記第２伝送装置に設けられ、前記現用系伝送路に対応する警報手段が警報を発出したときに、前記下位装置に送信する主信号を、前記現用系伝送路を介して受信する主信号から前記予備系伝送路を介して受信する主信号に切り替える切替手段とを備えていることを特徴とする。
【０００９】
請求項３の回線品質監視システムは、請求項１記載の回線品質監視システムにおいて、前記回線監視信号は、信号の開始を示す信号開始情報、前記回線監視信号検査手段の正常性検査に使用される誤り検査情報、信号の終了を示す信号終了情報で構成されていることを特徴とする。
請求項４の回線品質監視システムは、請求項１記載の回線品質監視システムにおいて、前記第２伝送装置に設けられ、前記警報手段における警報発出の閾値を任意に設定する閾値設定手段を備えていることを特徴とする。
【００１０】
請求項５の回線品質監視方法は、上位装置から受信した主信号を伝送路に送信する第１伝送装置と、前記第１伝送装置から前記伝送路を介して受信した主信号を下位装置に送信する第２伝送装置との間の回線品質を監視する回線品質監視方法であって、前記第１伝送装置側で、前記上位装置から受信した主信号の正常性を検査し、前記上位装置から主信号を所定時間受信しない場合、回線監視信号を生成して前記第２伝送装置に送信し、前記第２伝送装置側で、前記第１伝送装置から受信した主信号の正常性および回線監視信号の正常性をそれぞれ検査し、主信号および回線監視信号の異常検出の頻度を求め、その頻度が予め保持している閾値を超過したときに警報を発出することを特徴とする。
【００１１】
請求項６の回線品質監視方法は、請求項５記載の回線品質監視方法において、前記第２伝送装置側で、現用系伝送路および予備系伝送路で構成される前記伝送路に対応して、主信号の正常性検査、回線監視信号の正常性検査および警報発出をそれぞれ実施し、前記現用系伝送路に対応する警報を発出したときに、前記下位装置に送信する主信号を、前記現用系伝送路を介して受信する主信号から前記予備系伝送路を介して受信する主信号に切り替えることを特徴とする。
【００１２】
請求項７の回線品質監視方法は、請求項５記載の回線品質監視方法において、前記第２伝送装置側で、警報発出の閾値を任意に設定することを特徴とする。
【発明の効果】
【００１３】
請求項１の回線品質監視システムおよび請求項５の回線品質監視方法では、第１および第２伝送装置間で主信号が伝送される場合、その主信号の正常性を検査し、第１および第２伝送装置間で主信号が伝送されない場合、回線監視信号を生成して主信号の代わりに伝送し、その回線監視信号の正常性を検査する。このため、第１および第２伝送装置間で主信号および回線監視信号のいずれかを常時伝送させることができ、主信号の正常性および回線監視信号の正常性をそれぞれ検査することで、第１および第２伝送装置間の回線品質を常時監視できる。
【００１４】
また、警報が発出された場合に、第１伝送装置における主信号の正常性検査の検査結果により、障害発生箇所の推定が容易になる。すなわち、警報が発出された場合に、第１伝送装置で主信号の異常が検出されていないときは、第１および第２伝送装置間で回線品質の劣化が発生したと判断でき、第１伝送装置で主信号の異常が検出されているときは、第１伝送装置より上位装置側に問題があると判断できる。
【００１５】
請求項２の回線品質監視システムおよび請求項６の回線品質監視方法では、現用系伝送路で回線品質の劣化が発生したときに伝送路切替を実施できるため、円滑なデータ伝送を維持でき、データの再送処理が多発してネットワーク全体の負荷が増大することを防止できる。
請求項３の回線品質監視システムでは、回線監視信号は、第１および第２伝送装置間の回線品質を監視するために必要最低限の情報で構成されるため、第１伝送装置は、主信号の送信動作に影響を及ぼすことなく回線監視信号を送信できる。
【００１６】
請求項４の回線品質監視システムおよび請求項７の回線品質監視方法では、警報発出の閾値を任意に設定できるため、第１および第２伝送装置間の回線品質に対する様々な要求に対して柔軟に対応できる。
【発明を実施するための最良の形態】
【００１７】
以下、図面を用いて本発明の実施形態を説明する。
図１は、本発明の第１の実施形態を示している。
本発明が適用されるデータ伝送システムは、光伝送路３００を介してイーサネット（登録商標）フレームフォーマットのユーザフレーム（主信号）を伝送する伝送装置１００（第１伝送装置）、伝送装置２００（第２伝送装置）を有している。
【００１８】
伝送装置１００は、受信状況監視部１０２、タイマ設定部１０４、監視フレーム生成部１０６、パケットバッファ１０８（第１主信号検査手段、送信手段）、ＥＯ変換器（電光変換器）１１０を有している。
受信状況監視部１０２は、伝送装置１００における上位装置から送信されるユーザフレーム（本来、伝送すべき情報を含むフレーム）の受信状況を監視する。受信状況監視部１０２は、上位装置から送信されたユーザフレームを受信すると、そのユーザフレームをパケットバッファ１０８に送出する。また、受信状況監視部１０２は、タイマ設定部１０４により所定時間に設定可能なタイマ１１２を有しており、タイマ１１２のタイムアウトが発生するまでにユーザフレームを受信しない場合、すなわち、ユーザフレームを所定時間受信しない場合、その旨を監視フレーム生成部１０６に通知する。なお、タイマ１１２は、ユーザフレームの受信が検出されたとき、あるいはタイムアウトが発生したときに初期化される。
【００１９】
監視フレーム生成部１０６は、受信状況監視部１０２からの通知によりタイマ１１２のタイムアウトを認識したときに、伝送装置１００、２００間の回線品質を検査するための監視フレーム（回線監視信号）を生成し、パケットバッファ１０８に送出する。監視フレーム生成部１０６により生成される監視フレームの詳細については、図２で説明する。
パケットバッファ１０８は、受信状況監視部１０２を介して上位装置から受信したユーザフレームの正常性を検査する。具体的には、パケットバッファ１０８は、イーサネット（登録商標）フレームフォーマットに用意されているＦＣＳ（Frame Check Sequence）フィールドを使用した巡回冗長検査（ＣＲＣ：Cyclic Redundancy Check）、ユーザフレームのフレームサイズが正常であることを確認するための検査、ユーザフレームの総ビット数が８の整数倍であることを確認するための検査を実施する。パケットバッファ１０８は、巡回冗長検査において、ユーザフレームのＤＡ（Destination Address）フィールドからＤＡＴＡフィールドまでのデータに基づく多項式をある生成多項式で割ったときの余りが、ＦＣＳフィールドの値（ＣＲＣ値）と一致するか否かを検査することで、ユーザフレームの誤りの有無を判断する。
【００２０】
パケットバッファ１０８は、ユーザフレームの異常（ＦＣＳエラー、フレームサイズエラー（ショートフレームおよびロングフレーム）、アライメントエラー）を検出しなかった場合、そのユーザフレームをＥＯ変換器１１０を介して光伝送路３００に送出し、ユーザフレームの異常を検出した場合、そのユーザフレームを破棄する。また、パケットバッファ１０８は、監視フレーム生成部１０６から監視フレームを受信すると、その監視フレームをＥＯ変換器１１０を介して光伝送路３００に送出する。
【００２１】
伝送装置２００は、ＯＥ変換器（光電変換器）２０２、パケットバッファ２０４（第２主信号検査手段）、監視フレーム検査部２０６（回線監視信号検査手段）、エラーカウンタ２０８（警報手段）、閾値設定部２１０（閾値設定手段）を有している。
パケットバッファ２０４は、伝送装置１００から光伝送路３００に送出されたフレーム（ユーザフレームまたは監視フレーム）をＯＥ変換器２０２を介して受信する。パケットバッファ２０４は、受信したフレームがユーザフレームである場合、伝送装置１００のパケットバッファ１０８と同様に、ユーザフレームの正常性検査を実施する。パケットバッファ１０８は、ユーザフレームの異常（ＦＣＳエラー、フレームサイズエラー、アライメントエラー）を検出しなかった場合、そのユーザフレームを下位装置に送出し、ユーザフレームの異常を検出した場合、そのユーザフレームを破棄する。また、パケットバッファ２０４は、ユーザフレームの正常性検査の実施毎に、検査結果をエラーカウンタ２０８に通知する。パケットバッファ２０４は、受信したフレームが監視フレームである場合、その監視フレームを監視フレーム検査部２０６に送出する。
【００２２】
監視フレーム検査部２０６は、パケットバッファ２０４から監視フレームを受信すると、監視フレームの巡回冗長検査を実施する。監視フレーム検査部２０６は、監視フレームの巡回冗長検査の実施毎に、検査結果をエラーカウンタ２０８に通知する。
エラーカウンタ２０８は、パケットバッファ２０４からの異常検出通知および監視フレーム検査部２０６からの異常検出通知に応答して、カウンタ値を増加させる。エラーカウンタ２０８は、所定周期で、パケットバッファ２０４および監視フレーム検査部２０８からの通知総数に対する異常検出の通知数の比率（エラーフレーム率）を算出し、算出したエラーフレーム率が閾値設定部２１０により設定された閾値を超過したとき（例えば、所定時間内に、パケットバッファ２０４が１００００フレームを受信した場合、異常が検出されたフレーム数が１より大きいとき）に、ネットワーク全体を監視制御する監視制御センタ４００に警報を発出する。
【００２３】
図２は、図１の監視フレーム生成部１０６により生成される監視フレームの詳細を示している。
監視フレーム生成部１０６（図１）により生成される監視フレームは、８ビットのＳＳＤ（Start-of-Stream Delimiter）フィールド（信号開始情報）、１２ビットのＤＡＴＡフィールドおよび４ビットのＦＣＳフィールド（誤り検査情報）、４ビットのＥＳＤ（End-of-Stream Delimiter）フィールド（信号終了情報）で構成されている。
【００２４】
ＳＳＤフィールドは、”１０１０１０１０”に固定され、監視フレームの開始を示す。ＤＡＴＡフィールドは、伝送装置２００の監視フレーム検査部２０６による巡回冗長検査で使用されるランダムデータを示す。ＦＣＳフィールドは、ＤＡＴＡフィールドのランダムデータに基づく多項式をある生成多項式で割った余りを示す。ＥＳＤフィールドは、”１０１０”に固定され、監視フレームの終了を示す。このように、監視フレームを新たに定義することで、伝送装置２００のパケットバッファ２０４は、ユーザフレームと監視フレームとを容易に識別できる。また、伝送装置２００の監視フレーム検査部２０６は、監視フレームのＤＡＴＡフィールドに基づく多項式をある生成多項式で割ったときの余りが、ＦＣＳフィールドの値と一致するか否かを検査することで、監視フレームの誤りの有無を判断する。
【００２５】
図３は、図１の伝送装置１００における監視フレームの送信動作の概要を示している。
パケットバッファ１０８は、監視フレームを受信したとき、すなわち受信状況監視部１０２がユーザフレームの受信を所定時間Ｔの間に検出しないとき、監視フレームを光伝送路３００に送出する。なお、所定時間Ｔは、ユーザフレーム間のアイドルタイム、すなわちフレーム間ギャップＩＦＧ（最小値：１２バイト）より十分に小さく設定されている。監視フレームは、２８ビットで構成されているため、パケットバッファ１０８は、ユーザフレームのトラフィックに影響を及ぼすことなく監視フレームを光伝送路３００に送出できる。
【００２６】
以上のような構成のデータ伝送システムでは、伝送装置１００、２００間でユーザフレームが伝送される場合、そのユーザフレームの正常性を検査し、伝送装置１００、２００間でユーザフレームが伝送されない場合、監視フレームを生成してユーザフレームの代わりに伝送し、その監視フレームの正常性を検査する。このため、伝送装置１００、２００間でユーザフレームおよび監視フレームのいずれかが常時伝送され、ユーザフレームの正常性および監視フレームの正常性をそれぞれ検査することにより、伝送装置１００、２００間の回線品質を常時監視する。
【００２７】
以上、第１の実施形態では、伝送装置１００、２００間でユーザフレームおよび監視フレームのいずれかを常時伝送させることができ、ユーザフレームの正常性および監視フレームの正常性をそれぞれ検査することで、伝送装置１００、２００間の回線品質を常時監視できる。
また、伝送装置２００のエラーカウンタ２０８により警報が発出された場合に、伝送装置１００のパケットバッファ１０８におけるユーザフレームの検査結果により、障害発生箇所を容易に推定できる。すなわち、エラーカウンタ２０８により警報が発出された場合に、パケットバッファ１０８によりユーザフレームの異常が検出されていないときは、伝送装置１００、２００間で回線品質の劣化が発生したと判断でき、パケットバッファ１０８によりユーザフレームの異常が検出されているときは、伝送装置１００より上位装置側に問題があると判断できる。
【００２８】
さらに、監視フレームは、伝送装置１００、２００間の回線品質を監視するために必要最低限のフィールド（ＳＳＤ、ＤＡＴＡ、ＦＣＳ、ＥＳＤ）で構成されるため、ユーザフレームのトラフィックに影響を及ぼすことなく監視フレームを送信できる。また、伝送装置２００の閾値設定部により警報発出の閾値を変更できるため、伝送装置１００、２００間の回線品質に対する様々な要求に対して柔軟に対応できる。
【００２９】
図４は、本発明の第２の実施形態を示している。なお、第１の実施形態で説明した要素と同一の要素については、同一の符号を付し、詳細な説明を省略する。
本発明が適用されるデータ伝送システムは、現用系伝送路３０２および予備系伝送路３０４（光伝送路）を介してイーサネット（登録商標）フレームフォーマットのユーザフレーム（主信号）を伝送する伝送装置１００ａ（第１伝送装置）、伝送装置２００ａ（第２伝送装置）を有している。
【００３０】
伝送装置１００ａは、第１の実施形態の伝送装置１００（図１）にＥＯ変換器１１４を加えて構成されている。パケットバッファ１０８は、ユーザフレームおよび監視フレームをＥＯ変換器１１０を介して現用系伝送路３０２に送出するとともに、同一のユーザフレームおよび監視フレームをＥＯ変換器１１４を介して予備系伝送路３０４に送出する。
伝送装置２００ａは、現用系伝送路３０２および予備系伝送路３０４にそれぞれ接続されたインタフェース部２１２、２１４、切替回路２１６、切替制御部２１８を有している。インタフェース部２１２、２１４は、第１の実施形態（図１）におけるＥＯ変換器２０２、パケットバッファ２０４、監視フレーム検査部２０６、エラーカウンタ２０８、閾値設定部２１０をそれぞれ有している。
【００３１】
切替回路２１６は、インタフェース部２１２から送出されるユーザフレームおよびインタフェース部２１４から送出されるユーザフレームを受信する。切替回路２１６は、切替制御部からの切替要求に応答して、下位装置に送信するユーザフレームを、インタフェース部２１２（２１４）から送出されるユーザフレームからインタフェース部２１４（２１２）から送出されるユーザフレームに切り替える。切替制御部２１８は、インタフェース部２１２、２１４の警報発出に応答して、切替回路２１６に切替要求を発出する。また、切替制御部２１８は、インタフェース部２１２（２１４）の警報発出に応答して、現用系伝送路３０２（予備系伝送路３０４）で回線品質の劣化が発生したことを監視制御センタ４００に通知する。
【００３２】
以上、第２の実施形態でも、第１の実施形態と同様の効果が得られる。さらに、現用系伝送路３０２（予備系伝送路３０４）で回線品質の劣化が発生したときに伝送路切替を実施できるため、円滑なデータ伝送を維持でき、データの再送処理が多発してネットワーク全体の負荷が増大することを防止できる。
なお、前述の実施形態では、光を通信媒体とするデータ伝送システムに本発明を適用した例について述べた。しかしながら、本発明は、かかる実施形態に限定されるものではない。例えば、電気を通信媒体とするデータ伝送システムに本発明を適用してもよい。この場合、伝送装置内のＥＯ変換器およびＯＥ変換器は不要になる。
【００３３】
以上、本発明について詳細に説明してきたが、前述の実施形態およびその変形例は発明の一例に過ぎず、本発明はこれらに限定されるものではない。本発明を逸脱しない範囲で変形可能であることは明らかである。
【図面の簡単な説明】
【００３４】
【図１】本発明の第１の実施形態を示すブロック図である。
【図２】監視フレームの詳細を示す説明図である。
【図３】監視フレームの送信動作の概要を示す説明図である。
【図４】本発明の第２の実施形態を示すブロック図である。
【図５】従来のデータ伝送システムにおける伝送路切替制御を示す説明図である。
【符号の説明】
【００３５】
１００、１００ａ  伝送装置
１０２  受信状況監視部
１０４  タイマ設定部
１０６  監視フレーム生成部
１０８  パケットバッファ
１１０、１１４  ＥＯ変換器
１１２  タイマ
２００、２００ａ  伝送装置
２０２  ＯＥ変換器
２０４  パケットバッファ
２０６  監視フレーム検査部
２０８  エラーカウンタ
２１０  閾値設定部
２１２、２１４  インターフェース部
２１６  切替回路
２１８  切替制御部
３００  光伝送路
３０２  現用系伝送路
３０４  予備系伝送路
４００  監視制御センタ
【図１】
2005260734.tif 000003
【図２】
2005260734.tif 000004
【図３】
2005260734.tif 000005
【図４】
2005260734.tif 000006
【図５】
2005260734.tif 000007